(57)【要約】【課題】本発明の目的は、組立性を向上させる電子機器の製造方法を提供することにある。【解決手段】電子機器１は、筐体実装部品８が取り付けられる第１の筐体４と、表示装置２２を収容する第２の筐体２１と、第２の筐体２１を第１の筐体４に対して回動可能に支持するヒンジ部２６ａとを備える。この電子機器１の製造方法は、第１の筐体４の一部を構成するとともに筐体実装部品８が取り付けられるカバー部材５と、第２の筐体２１の一部を構成するとともに表示装置２２の表示画面２２ａを外部に露出させる開口部２３ａが形成されたマスク部材２３とを上記ヒンジ部２６ａで連結したサブ組立部品３１を準備し、マスク部材２３がカバー部材５に重なるようにサブ組立部品３１が畳まれた状態で、筐体実装部品８をマスク部材２３の開口部２３ａを通じてカバー部材５に実装する。【選択図】      図１１
2008250831.tif 000002
【特許請求の範囲】
【請求項１】
筐体実装部品が取り付けられる第１の筐体と、表示装置を収容する第２の筐体と、上記第２の筐体を上記第１の筐体に対して回動可能に支持するヒンジ部とを備える電子機器の製造方法であって、
上記第１の筐体の一部を構成するとともに上記筐体実装部品が取り付けられるカバー部材と、上記第２の筐体の一部を構成するとともに上記表示装置の表示画面を外部に露出させる開口部が形成されたマスク部材とを上記ヒンジ部で連結したサブ組立部品を準備し、
上記マスク部材が上記カバー部材に重なるように上記サブ組立部品が畳まれた状態で、上記筐体実装部品を上記マスク部材の開口部を通じて上記カバー部材に実装することを特徴とする電子機器の製造方法。
【請求項２】
請求項１に記載の電子機器の製造方法において、
上記筐体実装部品を上記カバー部材に実装した後に、上記表示装置を上記マスク部材に搭載することを特徴とする電子機器の製造方法。
【請求項３】
請求項２に記載の電子機器の製造方法において、
上記表示装置の搭載は、上記マスク部材が上記カバー部材に重なるように上記サブ組立部品が畳まれた状態で行われることを特徴とする電子機器の製造方法。
【請求項４】
請求項３に記載の電子機器の製造方法において、
上記電子機器は、上記第２の筐体の一部を構成するとともに上記マスク部材とは反対から上記表示装置に対向する他のカバー部材を有し、
上記他のカバー部材は、上記筐体実装部品および上記表示装置を実装した後に、上記マスク部材が上記第１の筐体のカバー部材に重なるように上記サブ組立部品が畳まれた状態で、上記マスク部材に組み合わされることを特徴とする電子機器の製造方法。
【請求項５】
請求項４に記載の電子機器の製造方法において、
上記筐体実装部品は、キーボードであり、
上記電子機器は、上記キーボードの一端部を上記第１の筐体のカバー部材に固定するキーボードホルダを備え、
上記キーボードホルダは、上記マスク部材が上記第１の筐体のカバー部材に重なるように上記サブ組立部品が畳まれた状態で、上記マスク部材の開口部を通じて上記第１の筐体のカバー部材に取り付けられることを特徴とする電子機器の製造方法。
【請求項６】
請求項５に記載の電子機器の製造方法において、
上記電子機器は、上記第１の筐体のカバー部材に取り付けられるタッチパッドを備え、
上記タッチパッドは、上記マスク部材が上記第１の筐体のカバー部材に重なるように上記サブ組立部品が畳まれた状態で、上記マスク部材の開口部を通じて上記第１の筐体のカバー部材に実装されることを特徴とする電子機器の製造方法。
【請求項７】
第１の筐体と、
第２の筐体と、
上記第２の筐体を上記第１の筐体に対して回動可能に支持するヒンジ部と、
上記第１の筐体に取り付けられる筐体実装部品と、
上記第２の筐体に収容されるとともに表示画面を有する表示装置と、を具備し、
上記第１の筐体は、上記筐体実装部品が取り付けられる第１のカバー部材を有し、
上記第２の筐体は、上記表示画面を外部に露出させる開口部が形成されたマスク部材と、上記マスク部材とは反対から上記表示装置に対向するとともに上記マスク部材に組み合わされる第２のカバー部材とを有し、
上記ヒンジ部は、上記マスク部材を上記第１のカバー部材に連結し、
上記表示装置および上記第２のカバー部材は、上記マスク部材に対して着脱自在であり、
上記マスク部材の開口部は、上記筐体実装部品の外形より大きいことを特徴とする電子機器。
【請求項８】
請求項７に記載の電子機器において、
上記ヒンジ部は、上記第１の筐体と上記第２の筐体との間に設けられるヒンジ軸と、上記ヒンジ軸に接続されるとともに上記第２の筐体内に延び、上記マスク部材に取り付けられる板金部材とを含み、
上記板金部材は、上記ヒンジ軸の軸方向に直交する方向に沿って上記マスク部材の一端部から他端部に亘って延びていることを特徴とする電子機器。
【請求項９】
請求項８に記載の電子機器において、
上記ヒンジ部は、上記ヒンジ軸の軸方向に沿って互いに離間して一対設けられており、
上記ヒンジ軸から最も離れた上記マスク部材の周縁部には、上記ヒンジ軸の軸方向に沿って延びるリブが設けられ、このリブは、上記一対のヒンジ部の板金部材の間に延びていることを特徴とする電子機器。
【請求項１０】
請求項９に記載の電子機器において、
上記表示装置と上記第２のカバー部材との間に介在される弾性部材を備え、
上記弾性部材は上記表示装置を上記マスク部材に向けて押圧することを特徴とする電子機器。
【請求項１１】
第１の筐体と、表示画面を有する表示装置を収容する第２の筐体とを備える電子機器の一部を構成するサブ組立部品であって、
上記第１の筐体の一部を構成するとともに、筐体実装部品が載置される載置部が設けられたカバー部材と、
上記第２の筐体の一部を構成するとともに、上記表示画面を外部に露出させる開口部が形成され、且つ、上記表示装置が実装される領域が外部に開放されたマスク部材と、
上記マスク部材を上記カバー部材に回動可能に連結するヒンジ部と、を具備し、
上記マスク部材が上記カバー部材に重ねられた状態で、上記載置部の全体が上記マスク部材の開口部を通じて外部に露出されることを特徴とするサブ組立部品。
【発明の詳細な説明】
【技術分野】
【０００１】
本発明は、電子機器、サブ組立部品および電子機器の製造方法に係り、特に表示部が本体部に対して開閉可能な電子機器およびその電子機器の製造方法に関する。
【背景技術】
【０００２】
ポータブルコンピュータのような電子機器は、回路基板を搭載する本体部と、表示装置を搭載する表示部とを有する。表示部と本体部との間にはヒンジ部が設けられている。このヒンジ部は、表示部を本体部に対して回動可能に支持している。
【０００３】
本体部は、第１の筐体を備える。第１の筐体は、上壁、周壁、および下壁を有する箱状に形成されている。第１の筐体は、下壁を含むベース部材と、上壁を含む第１のカバー部材とに分割されている。一方、表示部は、第２の筐体を有する。第２の筐体は、前壁、周壁、および背壁を有する箱状に形成されている。第２の筐体は、前壁を含むマスク部材と、背壁を含む第２のカバー部材とに分割されている。マスク部材は、表示装置の表示画面を外部に露出させる大きな開口部を有する。
【０００４】
ヒンジ部は、第１のカバー部材に固定される一端部と、第２のカバー部材に固定される他端部とを有する。ヒンジ部は、第２のカバー部材を第１のカバー部材に連結する。
【０００５】
非特許文献１には、マスク部材の開口部がキーボードの外形に比べて大きい電子機器が開示されている。この電子機器は、１７型ワイドといった大きな表示画面を有する。そのためマスク部材には表示画面に対応した大きな開口部が設けられている。  
さらに特許文献１には、キーボードの側方のスペースに操作盤が設けられた電子機器が開示されている。
【非特許文献１】「２００７年春モデル  ノートＰＣ総合カタログ（コスミオ／ダイナブック／ダイナブックＳＳ）」，株式会社東芝ＰＣ＆ネットワーク社，２００７年１月号，ｐ．４
【特許文献１】特開２００５−１００１７３号公報
【発明の開示】
【発明が解決しようとする課題】
【０００６】
上述のような第１の筐体と第２の筐体とを有する電子機器を組み立てる場合、まず第２のカバー部材と第１のカバー部材とをヒンジ部で連結したサブ組立部品（いわゆるカバーアッシー）が準備される。このサブ組立部品は、例えば別の場所で組み立てられ、第２のカバー部材が第１のカバー部材に重なるように畳まれた状態で納入される。
【０００７】
電子機器の組み立ては、第２のカバー部材を第１のカバー部材に対して立て起こし、立て起こした第２のカバー部材を組立台の上に寝かす。そして寝かした第２のカバー部材に表示装置を取り付ける。次いで表示装置を取り付けた第２のカバー部材にマスク部材を組み合わせる。これにより表示部が組み上がる。
【０００８】
表示部を組み立てた後、再び本体部のベース部材を組立台の上に置き直す。そして表示部が本体部に対して立て起こされた状態で第１のカバー部材の上壁に筐体実装部品であるキーボードを実装する。最後に表示部を本体部に対して閉じることで電子機器の組み立てが終了する。
【０００９】
このような電子機器によれば、組立作業中に電子機器の各部材を立て起こしたり、閉じたり、または置き直したりといった煩雑な作業が必要になる。そのため電子機器の組立性には改善の余地がある。
【００１０】
本発明の目的は、組立性を向上させる電子機器の製造方法を提供することにある。
【００１１】
本発明の他の目的は、組立性を向上させる電子機器を提供することにある。
【００１２】
本発明の他の目的は、電子機器の組立性を向上させるサブ組立部品を提供することにある。
【課題を解決するための手段】
【００１３】
上記目的を達成するため、本発明の一つの形態に係る電子機器の製造方法は、筐体実装部品が取り付けられる第１の筐体と、表示装置を収容する第２の筐体と、上記第２の筐体を上記第１の筐体に対して回動可能に支持するヒンジ部とを備える電子機器の製造方法であって、サブ組立部品を準備する。サブ組立部品は、上記第１の筐体の一部を構成するとともに上記筐体実装部品が取り付けられるカバー部材と、上記第２の筐体の一部を構成するとともに上記表示装置の表示画面を外部に露出させる開口部が形成されたマスク部材とを上記ヒンジ部で連結している。上記マスク部材が上記カバー部材に重なるように上記サブ組立部品が畳まれた状態で、上記筐体実装部品を上記マスク部材の開口部を通じて上記カバー部材に実装する。
【００１４】
上記他の目的を達成するため、本発明の一つの形態に係る電子機器は、第１の筐体と、第２の筐体と、上記第２の筐体を上記第１の筐体に対して回動可能に支持するヒンジ部と、上記第１の筐体に取り付けられる筐体実装部品と、上記第２の筐体に収容されるとともに表示画面を有する表示装置とを具備する。
【００１５】
上記第１の筐体は、上記筐体実装部品が取り付けられる第１のカバー部材を有する。上記第２の筐体は、上記表示画面を外部に露出させる開口部が形成されたマスク部材と、上記マスク部材とは反対から上記表示装置に対向するとともに上記マスク部材に組み合わされる第２のカバー部材とを有する。上記ヒンジ部は、上記マスク部材を上記第１のカバー部材に連結する。上記表示装置および上記第２のカバー部材は、上記マスク部材に対して着脱自在である。上記マスク部材の開口部は、上記筐体実装部品の外形より大きい。
【００１６】
上記他の目的を達成するため、本発明の一つの形態に係るサブ組立部品は、第１の筐体と、表示画面を有する表示装置を収容する第２の筐体とを備える電子機器の一部を構成するサブ組立部品であって、上記第１の筐体の一部を構成するとともに、筐体実装部品が載置される載置部が設けられたカバー部材と、上記第２の筐体の一部を構成するとともに、上記表示画面を外部に露出させる開口部が形成され、且つ、上記表示装置が実装される領域が外部に開放されたマスク部材と、上記マスク部材を上記カバー部材に回動可能に連結するヒンジ部とを具備する。上記マスク部材が上記カバー部材に重ねられた状態で、上記載置部の全体が上記マスク部材の開口部を通じて外部に露出される。
【発明の効果】
【００１７】
これらの構成によれば、電子機器の組立性が向上する。
【発明を実施するための最良の形態】
【００１８】
以下に本発明の実施の形態を、ポータブルコンピュータに適用した図面に基づいて説明する。  
図１ないし図１５は、本発明の一つの実施形態に係る電子機器としてのポータブルコンピュータ１を開示している。図１に示すように、ポータブルコンピュータ１は、本体部２と表示部３とを備えている。
【００１９】
図１に示すように、本体部２は、箱状に形成された第１の筐体４を有する。第１の筐体４は、上壁４ａ、周壁４ｂ、および下壁４ｃを有する。第１の筐体４は、第１のカバー部材５と、ベース部材６とを備える。第１のカバー部材５は、周壁４ｂの一部および上壁４ａを含み、第１の筐体４の一部を構成している。ベース部材６は、周壁４ｂの一部および下壁４ｃを含み、第１の筐体４の一部を構成している。第１のカバー部材５は、ベース部材６に対して組み合わされ、ベース部材６に着脱自在に支持されている。
【００２０】
第１のカバー部材５の上壁４ａには、キーボード８、タッチパッド９、およびボタンユニット１０が取り付けられている。キーボード８およびタッチパッド９は、それぞれ筐体実装部品の一例である。上壁４ａには、キーボード８が取り付けられるキーボード載置部１２、タッチパッド９が取り付けられるタッチパッド載置部１３、およびボタンユニット１０が取り付けられるボタンユニット載置部１４が設けられている。
【００２１】
ポータブルコンピュータ１は、キーボード８をキーボード載置部１２に固定するキーボードホルダ１６を備える。図１１に示すように、キーボード８の一端部には係合爪８ａが設けられている。一方、キーボード載置部１２には、キーボード８の係合爪８ａに対向する係合穴１２ａが形成されている。キーボード８の係合爪８ａが係合穴１２ａに差し込まれると、キーボード８の一端部はキーボード載置部１２に支持される。
【００２２】
キーボードホルダ１６は、係合突起１６ａを有する。係合穴１２ａが設けられた方とは反対のキーボード載置部１２の周縁部には、キーボードホルダ１６の係合突起１６ａに係合する係合穴１２ｂが設けられている。キーボードホルダ１６は、キーボード載置部１２の周縁部に着脱自在に取り付けられ、キーボード８の他端部を支持する。これによりキーボード８の両端部がキーボード載置部１２に固定される。なおキーボード８は、キーボードホルダ１６に代えてねじのような固定部材により固定されてもよい。
【００２３】
ポータブルコンピュータ１は、タッチパッド９をタッチパッド載置部１３に固定するタッチパッドフレーム１７を備える。図１０に示すように、タッチパッドフレーム１７は、第１および第２の係合爪１７ａ，１７ｂを有する。タッチパッド載置部１３には、第１の係合爪１７ａに対向する第１の係合穴１３ａと、第２の係合爪１７ｂに対向する第２の係合穴（図示しない）とが設けられている。
【００２４】
タッチパッドフレーム１７は、タッチパッド９をタッチパッド載置部１３との間に挟みこむようにしてタッチパッド載置部１３に取り付けられる。第１および第２の係合爪１７ａ，１７ｂが第１の係合穴１３ａおよび第２の係合穴に係合されると、タッチパッド９およびタッチパッドフレーム１７がタッチパッド載置部１３に固定される。
【００２５】
図１に示すように、表示部３は、箱状に形成された第２の筐体２１と、この第２の筐体２１に収容された表示装置２２とを備えている。表示装置２２の一例は、液晶ディスプレイ、プラズマディスプレイ、有機エレクトリックルミネッセンスディスプレイ、または表面電界ディスプレイなどである。表示装置２２は、表示画面２２ａを有する。
【００２６】
第２の筐体２１は、前壁２１ａ、周壁２１ｂ、および背壁２１ｃを有する。第２の筐体２１は、マスク部材２３と、第２のカバー部材２４とを備える。マスク部材２３は、周壁２１ｂの一部および前壁２１ａを含み、第２の筐体２１の一部を構成している。第２のカバー部材２４は、周壁２１ｂの一部および背壁２１ｃを含み、第２の筐体２１の一部を構成している。第２のカバー部材２４は、マスク部材２３とは反対から表示装置２２に対向するとともに、マスク部材２３に対して組み合わされ、マスク部材２３に着脱自在に支持されている。
【００２７】
マスク部材２３の前壁２１ａには、大きな開口部２３ａが形成されている。開口部２３ａは、表示装置２２に対向するとともに、表示装置２２の表示画面２２ａを第２の筐体２１の外部に露出させる。ここで、マスク部材２３の開口部２３ａの大きさは、キーボード載置部１２の外形およびボタンユニット載置部１４の外形を合わせた大きさより大きい。すなわち開口部２３ａの大きさは、キーボード８の外形より大きいとともに、キーボードホルダ１６の外形より大きい。
【００２８】
詳しくは図１に示すように、開口部２３ａの長手方向の幅ｗ１は、キーボード８の長手方向の幅ｓ１より大きいとともに、キーボードホルダ１６の長手方向の幅ｔ１より大きい。開口部２３ａの長手方向に直交する方向の幅ｗ２は、キーボード８の長手方向に直交する方向に沿うキーボード８およびキーボードホルダ１６を合わせた幅ｓ２より大きい。
【００２９】
第１の筐体４と第２の筐体２１との間には、一対のヒンジ部２６ａ，２６ｂが設けられている。ヒンジ部２６ａ，２６ｂは、第２の筐体２１を第１の筐体４に対して回動可能に支持している。そのため表示部３は、本体部２の上壁４ａを上方から覆うように閉じられる閉じ位置（図１５参照）と、上壁４ａを露出させるように立て起こされた開き位置（図１参照）との間で回動可能である。
【００３０】
次にいわゆるカバーアッシーとよばれるサブ組立部品３１について、図２ないし図６を参照して説明する。サブ組立部品３１は、ポータブルコンピュータ１の一部を構成する部品である。
【００３１】
図２に示すように、本実施形態に係るサブ組立部品３１は、第１のカバー部材５と、マスク部材２３と、ヒンジ部２６ａ，２６ｂとを有する。ヒンジ部２６ａ，２６ｂは、それぞれマスク部材２３に固定される一端部と、第１のカバー部材５に固定される他端部とを備え、マスク部材２３を第１のカバー部材５に回動可能に連結している。これによりサブ組立部品３１は連結一体化されている。
【００３２】
第１のカバー部材５には、上述したようにキーボード載置部１２、タッチパッド載置部１３、およびボタンユニット載置部１４が設けられている。ボタンユニット載置部１４には、ボタンユニット１０が取り付けられている。キーボード載置部１２は、底壁１２ｃを有する。底壁１２ｃには、開口部１２ｄが形成されている。タッチパッド載置部１３は、底壁１３ｂを有する。
【００３３】
マスク部材２３は、上述のように第２の筐体２１の周壁２１ｂの一部と前壁２１ａとを含むとともに、背壁２１ｃに臨む方向が外部に開放されている。すなわちマスク部材２３は、表示装置２２が実装される領域が外部に開放されているといえる。これにより、マスク部材２３が第１のカバー部材５に重ねられた状態で、キーボード載置部１２の全体がマスク部材２３の開口部２３ａを通じて外部に露出される。
【００３４】
図２に示すように、マスク部材２３は、協働して枠体を形成する四つの周縁部４１，４２，４３，４４を有する。詳しくは、マスク部材２３は、表示部３が本体部２に対して立て起こされたときに最も上方になる第１の周縁部４１、最も下方になる第２の周縁部４２、並びに開口部２３ａの左右において第１および第２の周縁部４１，４２の間に延びる第３および第４の周縁部４３，４４を有する。
【００３５】
ヒンジ部２６ａ，２６ｂは、それぞれヒンジ軸４６と、板金部材４７とを含む。ヒンジ軸４６は、第１の筐体４と第２の筐体２１との間に設けられる。すなわち第１の周縁部４１は、マスク部材２３のなかでヒンジ軸４６から最も離れた周縁部である。
【００３６】
図３に示すように、第１の周縁部４１には、第１のリブ５１が設けられている。なお説明のため、図３中では第１のリブ５１にハッチングを施してある。第１のリブ５１は、表示部３の厚さ方向（図８中、上下方向）に起立するとともに、ヒンジ軸４６の軸方向（すなわち第３の周縁部４３から第４の周縁部４４を向く方向、以下第１の方向と称する）に沿って、第１の周縁部４１の一端部から他端部に亘って延びている。
【００３７】
図２に示すように、第２の周縁部４２には、第２のリブ５２が設けられている。第２のリブ５２は、表示部３の厚さ方向に起立するとともに、上記第１の方向に沿って延びている。第３の周縁部４３には、第３のリブ５３が設けられている。第４の周縁部４４には、第４のリブ５４が設けられている。
【００３８】
第３および第４のリブ５３，５４は、表示部３の厚さ方向に起立するとともに、ヒンジ軸４６の軸方向に直交する方向（すなわち第２の周縁部４２から第１の周縁部４１を向く方向、以下第２の方向と称する）に沿って、第３の周縁部４３または第４の周縁部４４の一端部から他端部に亘って延びている。
【００３９】
図４に、一方のヒンジ部２６ａを詳しく示す。ヒンジ軸４６の一端は、図示しない固定機構により第１のカバー部材５に固定されている。ヒンジ軸４６の他端は、板金部材４７が接続されている。板金部材４７は、第２の筐体２１内に延びるとともに、マスク部材２３に取り付けられる。なお他方のヒンジ部２６ｂは、上記ヒンジ部２６ａと同様の構成を有する。
【００４０】
板金部材４７は、上記第２の方向に沿って、第３の周縁部４３または第４の周縁部４４の一端部から他端部に亘って延びている。板金部材４７は、それぞれその先端部４７ａ、中央部４７ｂ、および基端部４７ｃがマスク部材２３に固定される。
【００４１】
詳しくは図４に示すように、板金部材４７の先端部４７ａは、凸状に先細くなっている。図５に示すように、第３の周縁部４３の端部には、係合部材５６が設けられている。係合部材５６には、板金部材４７の先端部４７ａに対向する係合穴５６ａが開口している。板金部材４７の先端部４７ａが係合穴５６ａに差し込まれると、板金部材４７の先端部４７ａがマスク部材２３に固定される。
【００４２】
図４に示すように、板金部材４７の中央部４７ｂには、二つの開口部４７ｂａ，４７ｂｂが形成されている。図６に示すように、周壁２１ｂを形成する壁部からは、板金部材４７の一方の開口部４７ｂａを向いて係合爪５７が突出している。さらに第３のリブ５３からは、板金部材４７の他方の開口部４７ｂｂを向いて係合爪５８が突出している。板金部材４７の開口部４７ｂａ，４７ｂｂが係合爪５７，５８に係合されると、板金部材４７の中央部４７ｂがマスク部材２３に固定される。
【００４３】
図４に示すように、板金部材４７の基端部４７ｃには、ねじ挿通孔４７ｃａが形成されている。マスク部材２３には、ねじ挿通孔４７ｃａに対向するとともにねじ孔を有するボス（図示しない）が形成されている。ねじ挿通孔４７ｃａに挿通されたねじ５９がボスのねじ孔に螺合されると、板金部材４７の基端部４７ｃがマスク部材２３に固定される。板金部材４７のなかで最も大きな力が作用する基端部４７ｃは、ねじ５９を用いてマスク部材２３に強固に固定されている。
【００４４】
図３に示すように、一方のヒンジ部２６ａの板金部材４７の先端部４７ａが係合する係合部材５６は、第１のリブ５１の一端に隣接している。他方のヒンジ部２６ｂの板金部材４７の先端部４７ａが係合する係合部材５６は、第１のリブ５１の他端に隣接している。第１のリブ５１は、上記第１の方向に沿って互いに離間して設けられた一対のヒンジ部２６ａ，２６ｂの板金部材４７の間に延びている。すなわちヒンジ部２６ａ，２６ｂの板金部材４７および第１のリブ５１は、協働して開口部２３ａの三方から取り囲み、マスク部材２３の剛性を高めている。さらに第２ないし第４のリブ５２，５３，５４がマスク部材２３の剛性を高めている。
【００４５】
図２に示すように、マスク部材２３には、複数の第１の弾性部材６１が設けられている。第１の弾性部材６１の一例は、ゴム部材である。第１の弾性部材６１は、互いに離間して表示装置２２の周囲を囲む領域に配置されている。第１の弾性部材６１は、第１ないし第４のリブ５１，５２，５３，５４にそれぞれ取り付けられている。
【００４６】
第１のリブ５１に取り付けられた第１の弾性部材６１と第２のリブ５２に取り付けられた第１の弾性部材６１との間の間隔は、上記第２の方向に沿う表示装置２２の幅と略同じか或いはわずかに小さい。第３のリブ５３に取り付けられた第１の弾性部材６１と第４のリブ５４に取り付けられた第１の弾性部材６１との間の間隔は、上記第１の方向に沿う表示装置２２の幅と略同じか或いはわずかに小さい。
【００４７】
図１４に示すように、表示装置２２をマスク部材２３に載置すると、表示装置２２は第１ないし第４のリブ５１，５２，５３，５４に取り付けられた第１の弾性部材６１に周囲を囲まれる。複数の第１の弾性部材６１は、協働して表示装置２２を四方から支持する。換言すれば、表示装置２２は、複数の第１の弾性部材６１によって囲まれた領域に嵌められる。これにより上記第１および上記第２の方向に沿う表示装置２２の位置が固定される。表示装置２２は、マスク部材２３に対して着脱自在である。
【００４８】
図７に示すように、表示装置２２に対向する第２のカバー部材２４の面には、第２および第３の弾性部材６２，６３が取り付けられている。詳しくは、第２の弾性部材６２は、表示装置２２の周縁部に対向する領域に取り付けられている。第３の弾性部材６３は、表示装置２２の中央部に対向する領域に取り付けられている。図８に示すように、第２のカバー部材２４がマスク部材２３に組み合わされたとき、第２および第３の弾性部材６２，６３は、表示装置２２と第２のカバー部材２４との間に介在される。
【００４９】
第２の弾性部材６２の一例は、ゴム部材である。第３の弾性部材６３の一例は、スポンジ部材である。第２の弾性部材６２は、第３の弾性部材６３に比べて大きな弾性係数を有する材質で形成されている。換言すると、第２の弾性部材６２は、第３の弾性部材６３に比べて歪み難い硬い材質である。
【００５０】
第２の弾性部材６２は、表示部３の厚さ方向に沿って表示装置２２を位置決めするために設けられている。歪み難い第２の弾性部材６２が表示装置２２の周縁部に対向することで、表示装置２２のがたつきが抑制される。
【００５１】
第３の弾性部材６３の厚さは、第２の弾性部材６２の厚さに比べて厚く形成されている。第２のカバー部材２４をマスク部材２３に組み合わせると、第３の弾性部材６３は第２の弾性部材６２と略同じ厚さに圧縮される。第３の弾性部材６３は、表示装置２２に対してマスク部材２３に向く押圧力を加える。
【００５２】
複数の第２の弾性部材６２は、それぞれ部品公差を有するため、互いに厚さがわずかに異なる。第３の弾性部材６３が表示装置２２をマスク部材２３に向けて押圧することで、第２の弾性部材６２の部品公差の影響が小さくなり、表示装置２２のがたつきがさらに抑制される。なお、第２および第３の弾性部材６２，６３は、第２のカバー部材２４に代えて表示装置２２の背面に取り付けられてもよい。
【００５３】
次に、ポータブルコンピュータ１の製造方法の一例について、図９ないし図１５を参照して説明する。  
まず、ベース部材６、第２のカバー部材２４、およびサブ組立部品３１を準備する。サブ組立部品３１は、例えば別の場所で組み立てられ、マスク部材２３が第１のカバー部材５に重なるように畳まれた状態で準備される。すなわちマスク部材２３が第１のカバー部材５に対して閉じられた状態である。
【００５４】
図９に示すように、準備されたベース部材６に回路基板６５および各種ユニット６６を搭載する。各種ユニット６６は、例えば冷却ファンや光ディスクドライブなどである。回路基板６５および各種ユニット６６をベース部材６に搭載した後、予め組み立てられたサブ組立部品３１をベース部材６に上方から組み合わせる。詳しくは、サブ組立部品３１の第１のカバー部材５をベース部材６に組み合わせ、第１の筐体４を形成する。ベース部材６にサブ組立部品３１を組み合わせる工程では、サブ組立部品３１はマスク部材２３が第１のカバー部材５に重なるように畳まれた状態のままである。
【００５５】
図１０に示すように、ベース部材６にサブ組立部品３１を組み合わせた後、タッチパッド９およびタッチパッドフレーム１７を取り付ける。このタッチパッド９などの取り付け工程において、サブ組立部品３１はマスク部材２３が第１のカバー部材５に重なるように畳まれた状態のままである。タッチパッド９およびタッチパッドフレーム１７は、マスク部材２３の開口部２３ａを通じてタッチパッド載置部１３に実装される。
【００５６】
詳しくは、まずタッチパッド９をタッチパッド載置部１３に載置する。タッチパッド９の載置と前後して、タッチパッド９のケーブル９ａを回路基板６５に実装されたコネクタ６７に差し込む。これによりタッチパッド９が回路基板６５に電気的に接続される。
【００５７】
タッチパッド９を載置した後、タッチパッド９の上からタッチパッドフレーム１７を取り付ける。具体的には、タッチパッドフレーム１７の第２の係合爪１７ｂを対応する係合穴（図示しない）に係合させ、第１の係合爪１７ａを係合穴１３ａに係合させる。これによりタッチパッド９およびタッチパッドフレーム１７がタッチパッド載置部１３に固定される。
【００５８】
図１１に示すように、タッチパッド９を取り付けた後、キーボード８、キーボードホルダ１６、および補強部材６８を取り付ける。このキーボード８などの取り付け工程において、サブ組立部品３１はマスク部材２３が第１のカバー部材５に重なるように畳まれた状態のままである。図１１および図１２に示すように、キーボード８、キーボードホルダ１６、および補強部材６８は、マスク部材２３の開口部２３ａを通じて第１のカバー部材５に実装される。
【００５９】
詳しくは、キーボード８のケーブル８ｂを回路基板６５に実装されたコネクタ６９に差し込む。これによりキーボード８が回路基板６５に電気的に接続される。ケーブル８ｂをコネクタ６９に接続した後、補強部材６８をキーボード載置部１２の開口部１２ｄに取り付ける。補強部材６８は、例えば板金で形成され、キーボード載置部１２の底壁１２ｃを補強する。
【００６０】
そして補強部材６８および底壁１２ｃの上にキーボード８を載置する。キーボード８の爪８ａを係合穴１２ａに差し込むことで、キーボード８の一端部が支持される。さらにキーボードホルダ１６を取り付けることで、キーボード８の他端部が支持される。  
以上のようにして、キーボード８の回りおよびタッチパッド９の回りの実装工程が完了する。
【００６１】
図１３に示すように、キーボード８を第１のカバー部材５に実装した後、表示装置２２をマスク部材２３に搭載する。表示装置２２は、例えば第２のカバー部材２４とは別に独立してマスク部材２３に載置される。詳しくは、表示装置２２を第１の弾性部材６１で囲まれる領域に嵌め込むと、表示装置２２が第１の弾性部材６１に四方から支持されその位置が固定される。表示装置２２の載置と前後して、表示装置２２のケーブル（図示しない）をインバータ７０に接続する。この表示装置２２を搭載する工程において、サブ組立部品３１はマスク部材２３が第１のカバー部材５に重なるように畳まれた状態のままである。
【００６２】
図１４に示すように、表示装置２２が搭載されたマスク部材２３に対して第２のカバー部材２４を組み合わせる。この第２のカバー２４をマスク部材２３に組み合わせる工程において、サブ組立部品３１はマスク部材２３が第１のカバー部材５に重なるように畳まれた状態のままである。マスク部材２３に第２のカバー部材２４が組み合わされると、第２および第３の弾性部材６２，６３およびとマスク部材２３がその間に表示装置２２を挟んで表示装置２２を保持する。これにより、表示部３の厚さ方向に沿う表示装置２２の位置が固定される。
【００６３】
なお表示装置２２の固定は、例えばねじのような固定部材を用いてもよい。本実施形態では、表示装置２２を固定するためにねじのような固定部材を用いず、第１ないし第３の弾性部材６１，６２，６３により表示装置２２を保持している。  
最後に、ヒンジカバー７１の取り付け工程などを経て、図１５に示すようにポータブルコンピュータ１が組み上がる。
【００６４】
このような構成のポータブルコンピュータ１によれば、組立性を向上させたポータブルコンピュータ１の製造方法を適用することができる。すなわち、第１のカバー部材５とマスク部材２３とがヒンジ部２６ａ，２６ｂで連結されるとともに、表示装置２２および第２のカバー部材２４がマスク部材２３に対して着脱自在であると、マスク部材２３が第１のカバー部材５に重ねられた状態であっても、キーボード載置部１２がマスク部材２３の開口部２３ａを通じて外部に露出される。
【００６５】
マスク部材２３の開口部２３ａがキーボード８の外形より大きく形成されていると、マスク部材２３の開口部２３ａを通じてキーボード８をキーボード載置部１２に実装可能である。つまり、マスク部材２３を第１のカバー部材５に対して立て起こすことなく、キーボード８を第１のカバー部材５に取り付けることができる。キーボード８の実装工程においてマスク部材２３を立て起こす必要が無いと、実装作業を簡略化することができるので、ポータブルコンピュータ１の組立性が向上する。
【００６６】
同様に、キーボードホルダ１６をマスク部材２３の開口部２３ａを通じて第１のカバー部材５に取り付け可能であると、キーボードホルダ１６の取り付けのためにマスク部材２３を立て起こす必要がない。タッチパッド９をマスク部材２３の開口部２３ａを通じて第１のカバー部材５に実装可能である、タッチパッド９の取り付けのためにマスク部材２３を立て起こす必要がない。これらはポータブルコンピュータ１の組立性を向上させる。
【００６７】
キーボード８を第１のカバー部材５に実装した後に表示装置２２を搭載すると、キーボード８の実装工程において表示装置２２が邪魔にならない。表示装置２２がマスク部材２３に搭載されると、表示装置２２の取り付けのためにマスク部材２３を立て起こす必要がない。これはポータブルコンピュータ１の組立性の向上に寄与する。さらにマスク部材２３が第２のカバー部材２４に重ねられた状態で表示装置２２を搭載すると、表示装置２２の取り付け方向をキーボード８の取り付け方向と同じ方向に揃えることができる。複数のユニットの取り付け方向を揃えることは、組立作業の単純化を図ることができるためポータブルコンピュータ１の組立性の向上に寄与する。
【００６８】
マスク部材２３が第２のカバー部材２４に重ねられた状態で第２のカバー部材２４をマスク部材２３に組み合わせると、第２のカバー部材２４の取り付け方向をキーボード８の取り付け方向と同じ方向に揃えることができる。
【００６９】
本実施形態では、ベース部材６に対して、回路基板６５、サブ組立部品３１、タッチパッド９、タッチパッドフレーム１７、キーボード８、キーボードホルダ１６、表示装置２２、および第２のカバー部材２４を順に積層することで、ポータブルコンピュータ１を組み立てることができる。すなわちポータブルコンピュータ１を構成する主要部品６５，３１，９，１７，８，１６，２２，２４の取り付け方向が全て同じ方向である。このため作業者は一定の方向に沿って主要部品６５，３１，９，１７，８，１６，２２，２４を次々と積層すればよいので、作業性が非常に高い。
【００７０】
しかもこの取り付け方向は、鉛直下向きである。作業者は、主要部品６５，３１，９，１７，８，１６，２２，２４を上へ上へと積層すればよい。このため作業性がさらに高く、作業スペースも比較的小さくて済む。また作業が非常に単純化されるので、作業ミスの減少に寄与する。さらに主要部品の取り付け方向が特定方向に統一されていると、組立の自動化に有利である。
【００７１】
サブ組立部品３１は、例えば別の場所で組み立てられ、マスク部材２３が第１のカバー部材５に重なるようにサブ組立部品３１が畳まれた状態で納入されることが考えられる。本実施形態に係るポータブルコンピュータ１によれば、マスク部材２３を第１のカバー部材５に対して一度も立て起こすことなく、閉じられたままの状態でポータブルコンピュータ１を組み立てることができる。
【００７２】
すなわち、上述のようにタッチパッド９、タッチパッドフレーム１７、キーボード８、キーボードホルダ１６、表示装置２２、および第２のカバー部材２４の取り付けに際し、マスク部材２３を一度も立て起こす必要がない。つまり、マスク部材２３および第２のカバー部材２４を立て起こしたり、閉じたり、置き直したり、方向を回転させたりする作業を行うことなく、ポータブルコンピュータ１を組み立てることができる。これはポータブルコンピュータ１の組立性の向上に寄与する。  
さらにマスク部材２３および第２のカバー部材２４の立て起こし作業などがないと、部品の傷付きを抑制することができ、ポータブルコンピュータ１の品質が向上する。
【００７３】
ヒンジ部２６ａ，２６ｂがマスク部材２３に接続されていると、表示部３を回動させるときにマスク部材２３には曲げモーメントが加わる。一般にマスク部材２３は、大きな開口部２３ａを有するため例えば第２のカバー部材２４に比べて剛性が小さい。しかしながら本実施形態に係るポータブルコンピュータ１においては、ヒンジ部２６ａ，２６ｂの板金部材４７がヒンジ軸４６の軸方向に直交する方向に沿ってマスク部材２３の一端部から他端部に亘って延びている。したがってマスク部材２３に加わる曲げモーメントの多くを板金部材４７で受けることができ、マスク部材２３の破損防止を図ることができる。
【００７４】
さらにマスク部材２３のなかでヒンジ軸４６から最も離れた周縁部４１には、一対のヒンジ部２６ａ，２６ｂの板金部材４７の間に第１のリブ５１が設けられている。この第１のリブ５１を設けることで周縁部４１の剛性が高まり、マスク部材２３の破損防止を図ることができる。第１のリブ５１が一対のヒンジ部２６ａ，２６ｂの板金部材４７の間に亘って延びていると、第１のリブ５１および二つの板金部材４７が協働してマスク部材２３の剛性をさらに高める。
【００７５】
板金部材４７の取り付けが係合部材５６に対する差し込みや、係合爪５７，５８に対する係合によると、例えばねじ止め作業を少なくすることができ、組立性を向上させる。  
表示装置２２は、例えば板金部材４７にねじ止めされてもよい。本実施形態のように第１の弾性部材６１が表示装置２２を四方から支持するように配置されていると、表示装置２２をマスク部材２３に載置するだけで上記第１および第２の方向に沿うマスク部材２３の位置が固定される。すなわちねじ止めなどの作業を省略することができる。
【００７６】
表示装置２２と第２のカバー部材２４との間に介在される弾性部材６２，６３を備えていると、ねじのような固定部材を用いることなく、表示部３の厚さ方向に沿って表示装置２２の位置を固定することができる。これらはポータブルコンピュータ１の組立性の向上に寄与する。
【００７７】
以上、本発明の一つの実施形態に係るポータブルコンピュータ１について説明した。ただし本発明は上記実施形態に限定されるものではない。例えばタッチパッド９は、第１の筐体４の内側に収容されるとともにタッチパッド載置部１３に設けられた開口部を通じて外部に露出されるタイプであってもよい。ただし本実施形態のようにタッチパッド載置部１３の底壁１３ｂに載置されるタイプのタッチパッド９によれば、タッチパッド９の取り付け方向がキーボード８の取り付け方向と同じになるので組立性の向上に有利である。
【００７８】
本発明でいう筐体実装部品はキーボード８およびタッチパッド９に限られず、例えば電源スイッチやスピーカなどを含む種々の入力装置および出力装置も該当する。本発明が適用可能な電子機器はポータブルコンピュータに限られない。
【図面の簡単な説明】
【００７９】
【図１】本発明の一つの実施形態に係るポータブルコンピュータの斜視図。
【図２】本発明の一つの実施形態に係るサブ組立部品の斜視図。
【図３】図２中に示されたサブ組立部品の一部を拡大して示す斜視図。
【図４】本発明の実施形態に係るサブ組立部品のヒンジ部を分解して示す斜視図。
【図５】図４中に示されたサブ組立部品のＦ５線で囲まれた領域を示す斜視図。
【図６】図４中に示されたサブ組立部品のＦ６線で囲まれた領域を示す斜視図。
【図７】本発明の一つの実施形態に係る第２のカバー部材を示す斜視図。
【図８】本発明の一つの実施形態に係る表示部の断面図。
【図９】本発明の一つの実施形態のベース部材にサブ組立部品を組み合わせる工程を示す斜視図。
【図１０】本発明の一つの実施形態のタッチパッドの実装工程を示す斜視図。
【図１１】本発明の一つの実施形態のキーボードの実装工程を示す斜視図。
【図１２】本発明の一つの実施形態のキーボードの実装工程を示す断面図。
【図１３】本発明の一つの実施形態の表示装置を取り付ける工程を示す斜視図。
【図１４】本発明の一つの実施形態の第２のカバー部材を取り付ける工程を示す斜視図。
【図１５】本発明の一つの実施形態に係る組み上がったポータブルコンピュータを示す斜視図。
【符号の説明】
【００８０】
１…ポータブルコンピュータ、４…第１の筐体、５…第１のカバー部材、６…ベース部材、８…キーボード、９…タッチパッド、１２…キーボード載置部、１６…キーボードホルダ、２１…第２の筐体、２２…表示装置、２２ａ…表示画面、２３…マスク部材、２３ａ…開口部、２４…第２のカバー部材、２６ａ，２６ｂ…ヒンジ部、３１…サブ組立部品、４１…周縁部、４６…ヒンジ軸、４７…板金部材、５１…リブ、６１，６２，６３…弾性部材。
【図１】
2008250831.tif 000003
【図２】
2008250831.tif 000004
【図３】
2008250831.tif 000005
【図４】
2008250831.tif 000006
【図５】
2008250831.tif 000007
【図６】
2008250831.tif 000008
【図７】
2008250831.tif 000009
【図８】
2008250831.tif 000010
【図９】
2008250831.tif 000011
【図１０】
2008250831.tif 000012
【図１１】
2008250831.tif 000013
【図１２】
2008250831.tif 000014
【図１３】
2008250831.tif 000015
【図１４】
2008250831.tif 000016
【図１５】
2008250831.tif 000017